(57)【要約】【課題】ベッドで、睡眠中に寝返りをしたとき等に発生する軋み音や性交中に発生する軋み音は大変に不愉快なものである。よって、ベッドの軋み音を完全に無くす。【解決手段】ベッドにおいて、軋み音を発生する場所に用途に応じた的確な振動吸収板を取り付け、振動吸収板で軋み音を発生するエネルギーを吸収してしまう。ベッドの軋み音を完全に無くすには、ベッドに静止している人の体重及びベッドの重量等を加えた常時かかる大きい圧力から変形量の少ない振動吸収板を作る。よって、常時、ベッドに静止している人の体重及びベッドの重量等の大きい圧力がかかるの状態でも、振動吸収板が更に別の衝撃的な圧力に対して変形できる変形量を残す。つまり、軋み音の発生する衝撃的な圧力、例えば、寝返りや性交による衝撃的な圧力がかかった時に、振動吸収板が衝撃的な圧力を吸収し、ベッドが軋み音を発生しないようにする。【選択図】  図５
2004344604.tif 000002
【特許請求の範囲】
【請求項１】
ベッドの軋み音を無くすため、フレームＡと接続金具Ｃとの間に振動を吸収する振動吸収板Ｆを挟んで接続した、又は、フレームＡと接続金具Ｃとの間に数種類の振動吸収板から作られた積層板の振動吸収板Ｆを挟んで接続した、以上のことを特徴とする軋み音防止ベッド。
【請求項２】
ベッドの軋み音を無くすため、ヘットボード及びフットボードＢと接続金具Ｃとの間に振動を吸収する振動吸収板Ｇを挟んで接続した、又は、ヘットボード及びフットボードＢと接続金具Ｃとの間に数種類の振動吸収板から作られた積層板の振動吸収板Ｇを挟んで接続した、以上のことを特徴とする軋み音防止ベッド。
【請求項３】
ベッドの軋み音を無くすため、フレームＡとヘットボード及びフットボードＢとの間に振動を吸収する振動吸収板Ｇを挟んで接続した、又は、フレームＡとヘットボード及びフットボードＢとの間に数種類の振動吸収板から作られた積層板の振動吸収板Ｇを挟んで接続した、以上のことを特徴とする軋み音防止ベッド。
【請求項４】
ベッドの軋み音を無くすため、ベッドの脚部の底面に一種類の振動吸収板から作られた積層板の振動吸収板Ｈを取り付けた、又は、ベッドの底面に数種類の振動吸収板から作られた積層板の振動吸収板Ｈを取り付けた、以上のことを特徴とする軋み音防止ベッド。
【発明の詳細な説明】
【０００１】
【発明の属する技術分野】
ベッドの軋み音防止の技術。
【０００２】
【従来の技術】
従来の技術の、家庭用や業務用で使うベッドで、ボルトやネジを用いた組立式などのベッドでは、フレームＡとヘットボード及びフットボードＢとの接続方法において、フレームＡと接続金具Ｃとを直接接続している。また、ヘットボード及びフットボードＢと接続金具Ｃとの接続も直接接続している。よって、フレームＡと接続金具Ｃとが常時強く密着できないため、ベッドが軋み音を発生する。また、ヘットボード及びフットボードＢと接続金具Ｃとが常時強く密着できないため、ベッドが軋み音を発生する。
【０００３】
従来の技術では、ヘットボード及びフットボードＢの脚部（ベッドの脚部）の底面の振動吸収板Ｈが一重である。この振動吸収板にベッドの全重量と人の体重とを合わせた大きい圧力が常時かかり、その大きい圧力により振動吸収板が変形してしまい、振動吸収板の振動エネルギー吸収量（軋み音の発生するエネルギーの吸収量）が少なくなってしまう。よって、ヘットボード及びフットボードＢの脚部（ベッドの脚部）の底面の振動吸収板において、振動吸収板の振動エネルギー吸収量（軋み音の発生するエネルギーの吸収量）が少なくなるので、ベッドに衝撃的な圧力、例えば、寝返りや性交による衝撃的な圧力がかかった時に、ベッドが軋み音を発生する。なお、本特許願において、軋み音の発生するエネルギーの吸収量と振動エネルギー吸収量とは同じとする。
【０００４】
【発明が解決しようとする課題】
ベッドで、睡眠中に寝返りをしたとき等に発生する軋み音や性交中に発生する軋み音は大変に不愉快なものである。よって、ベッドの軋み音を完全に無くす。
【０００５】
【課題を解決するための手段】
ベッドにおいて、軋み音を発生する場所に用途に応じた的確な振動吸収板を取り付け、振動吸収板で軋み音を発生するエネルギーを吸収してしまう。
【０００６】
ベッドの軋み音を完全に無くすには、ベッドに静止している人の体重及びベッドの重量等を加えた常時かかる大きい圧力から変形量の少ない振動吸収板を作る。よって、常時、ベッドに静止している人の体重及びベッドの重量等の大きい圧力がかかるの状態でも、振動吸収板が更に別の衝撃的な圧力に対して変形できる変形量を残す。つまり、軋み音の発生する衝撃的な圧力、例えば、寝返りや性交による衝撃的な圧力がかかった時に、振動吸収板が衝撃的な圧力を吸収し、ベッドが軋み音を発生しないようにする。
【０００７】
【発明の実施の形態】
発明の実施の形態を図面を参照して説明する。
図１において、一番上の振動吸収板を振動エネルギー吸収量が大きい振動吸収板Ｘとし、真ん中の振動吸収板を振動エネルギー吸収量が少ない振動吸収板Ｙとし、一番下の振動吸収板を振動エネルギー吸収量が大きい振動吸収板Ｘとする。また、振動エネルギー吸収量が少ない振動吸収板Ｙは外部の圧力に対する変形量も小さい振動吸収板である。
【０００８】
図２において、図１の三枚の振動吸収板の平面と平面とを接続して積層板の新たな振動吸収板ができる。この新たな振動吸収板は、ベッドで静止している人の体重及びベッドの重量等の常時かかる大きい圧力では変形量の少ない新たな振動吸収板である。よって、ベッドに静止している人の体重及びベッドの重量等の常時かかる大きい圧力の状態で、新たな振動吸収板が更に別の衝撃的な圧力に対して変形できる変形量を残す。つまり、軋み音の発生する衝撃的な圧力、例えば、寝返りや性交による圧力がかかった時に、新たな振動吸収板が衝撃的な圧力を吸収し、ベッドが軋み音を発生しないようになる。
【０００９】
図３において、一番上の振動吸収板を振動エネルギー吸収量が大きい振動吸収板Ｘとし、上から二番目の振動吸収板を振動エネルギー吸収量が少ない振動吸収板Ｙとし、上から三番目の振動吸収板を振動エネルギー吸収量が大きい振動吸収板Ｘとし、上から四番目の振動吸収板を振動エネルギー吸収量が少ない振動吸収板Ｙとし、一番下の振動吸収板を振動エネルギー吸収量が大きい振動吸収板Ｘとする。また、振動エネルギー吸収量が少ない振動吸収板Ｙは外部の圧力に対する変形量も小さい振動吸収板である。
【００１０】
図４において、図３の五枚の振動吸収板の平面と平面とを接続して積層板の新たな振動吸収板ができる。この新たな振動吸収板は、ベッドで静止している人の体重及びベッドの重量等の常時かかる大きい圧力では変形量の少ない新たな振動吸収板である。よって、ベッドに静止している人の体重及びベッドの重量等の常時かかる大きい圧力の状態で、新たな振動吸収板が更に別の衝撃的な圧力に対して変形できる変形量を残す。つまり、軋み音の発生する衝撃的な圧力、例えば、寝返りや性交による圧力がかかった時に、新たな振動吸収板が衝撃的な圧力を吸収し、ベッドが軋み音を発生しないようになる。
【００１１】
図５において、家庭用や業務用で使うベッドで、ベッドの軋み音を無くすため、フレームＡとヘットボード及びフットボードＢとの接続方法において、フレームＡと接続金具Ｃとの間に振動吸収板Ｆを挟んで接続する。振動吸収板Ｆは振動を吸収する一種類の材料から作られた振動吸収板Ｆと、図２，図４のように、振動を吸収する数種類の振動吸収板から作られた積層板の振動吸収板Ｆとがある。
【００１２】
図５において、家庭用や業務用で使うベッドで、ベッドの軋み音を無くすため、フレームＡとヘットボード及びフットボードＢとの接続方法において、ヘットボード及びフットボードＢと接続金具Ｃとの間に振動吸収板Ｇを挟んで接続する。また、フレームＡとヘットボード及びフットボードＢとの間に振動吸収板Ｇを挟んで接続する。振動吸収板Ｇは振動を吸収する一種類の材料から作られた振動吸収板Ｇと、図２，図４のように、振動を吸収する数種類の振動吸収板から作られた積層板の振動吸収板Ｇとがある。
【００１３】
図６において、家庭用や業務用で使うベッドで、ベッドの軋み音を無くすため、ヘットボード及びフットボードＢの脚部（ベッドの脚部）の底面に一種類の振動吸収板から作られた積層板の振動吸収板Ｈを取り付けた、又は、数種類の振動吸収板から作られた積層板の振動吸収板Ｈを取り付けた。
【００１４】
【実施例】
発明の実施例を図面を参照して説明する。
図１において、一番上の振動吸収板を振動エネルギー吸収量が大きい合成ゴムで作られた振動吸収板Ｘとし、真ん中の振動吸収板を振動エネルギー吸収量が少ない金属で作られた振動吸収板Ｙとし、一番下の振動吸収板を振動エネルギー吸収量が大きい合成ゴムで作られた振動吸収板Ｘとする。
【００１５】
図１において、別の実施例として、一番上の振動吸収板を振動エネルギー吸収量が大きい高分子化合物で作られた振動吸収板Ｘとし、真ん中の振動吸収板を振動エネルギー吸収量が少ない繊維で作られた振動吸収板Ｙとし、一番下の振動吸収板を振動エネルギー吸収量が大きい高分子化合物で作られた振動吸収板Ｘとする。
【００１６】
図１において、また、別の実施例として、一番上の振動吸収板を振動エネルギー吸収量が大きい高分子化合物で作られた振動吸収板Ｘとし、真ん中の振動吸収板を振動エネルギー吸収量が少ない高分子化合物で作られた振動吸収板Ｙとし、一番下の振動吸収板を振動エネルギー吸収量が大きい高分子化合物で作られた振動吸収板Ｘとする。
【００１７】
図２において、図１の三枚の振動吸収板の平面と平面とを接続して積層板の新たな振動吸収板ができる。
【００１８】
図３において、一番上の振動吸収板を振動エネルギー吸収量が大きい高分子化合物の振動吸収板Ｘとし、上から二番目の振動吸収板を振動エネルギー吸収量が少ない金属の振動吸収板Ｙとし、上から三番目の振動吸収板を振動エネルギー吸収量が大きい高分子化合物の振動吸収板Ｘとし、上から四番目の振動吸収板を振動エネルギー吸収量が少ない金属の振動吸収板Ｙとし、一番下の振動吸収板を振動エネルギー吸収量が大きい高分子化合物の振動吸収板Ｘとする。
【００１９】
図３において、別の実施例として、一番上の振動吸収板を振動エネルギー吸収量が大きい高分子化合物の振動吸収板Ｘとし、上から二番目の振動吸収板を振動エネルギー吸収量が少ない繊維の振動吸収板Ｙとし、上から三番目の振動吸収板を振動エネルギー吸収量が大きい高分子化合物の振動吸収板Ｘとし、上から四番目の振動吸収板を振動エネルギー吸収量が少ない繊維の振動吸収板Ｙとし、一番下の振動吸収板を振動エネルギー吸収量が大きい高分子化合物の振動吸収板Ｘとする。
【００２０】
図３において、また、別の実施例として、一番上の振動吸収板を振動エネルギー吸収量が大きい高分子化合物の振動吸収板Ｘとし、上から二番目の振動吸収板を振動エネルギー吸収量が少ない高分子化合物の振動吸収板Ｙとし、上から三番目の振動吸収板を振動エネルギー吸収量が大きい高分子化合物の振動吸収板Ｘとし、上から四番目の振動吸収板を振動エネルギー吸収量が少ない高分子化合物の振動吸収板Ｙとし、一番下の振動吸収板を振動エネルギー吸収量が大きい高分子化合物の振動吸収板Ｘとする。
【００２１】
図４において、図３の五枚の振動吸収板の平面と平面とを接続して積層板の新たな振動吸収板ができる。
【００２２】
図５において、フレームＡとヘットボード及びフットボードＢとの接続方法において、フレームＡと接続金具Ｃとの間に振動吸収板Ｆを挟んで接続する。振動吸収板Ｆは振動を吸収する一種類の高分子化合物、繊維及び金属から作られた振動吸収板Ｆと、図２，図４のように、高分子化合物、繊維及び金属の数種類の振動吸収板から作られた積層板の振動吸収板Ｆとがある。
【００２３】
図５において、フレームＡとヘットボード及びフットボードＢとの接続方法において、ヘットボード及びフットボードＢと接続金具Ｃとの間に振動吸収板Ｇを挟んで接続する。また、フレームＡとヘットボード及びフットボードＢとの間に振動吸収板Ｇを挟んで接続する。振動吸収板Ｇは振動を吸収する一種類の高分子化合物、繊維及び金属から作られた振動吸収板Ｇと、図２，図４のように、高分子化合物、繊維及び金属の数種類の振動吸収板から作られた積層板の振動吸収板Ｇとがある。
【００２４】
図６において、ヘットボード及びフットボードＢの脚部（ベッドの脚部）の底面に高分子化合物、繊維及び金属の一種類または数種類の振動吸収板から作られた積層板の振動吸収板Ｈを取り付ける。
【００２５】
【発明の効果】
ベッドで、睡眠中に寝返りをしたとき等に発生する軋み音および性交中に発生する軋み音が完全に無くなる。
【図面の簡単な説明】
【図１】実施例の斜視図。三種類の振動吸収板を接合する前の状態。
【図２】実施例の斜視図。三種類の振動吸収板を接合した積層板の振動吸収板。
【図３】実施例の斜視図。五種類の振動吸収板を接合する前の状態。
【図４】実施例の斜視図。五種類の振動吸収板を接合した積層板の振動吸収板。
【図５】実施例の斜視図。フレームＡとヘットボード及びフットボードＢとの接続方法。
【図６】実施例の斜視図。ベッドの脚部の底面に積層板の振動吸収板を取り付ける。
【符号の説明】
Ａ：フレーム。    Ｂ：ヘットボード及びフットボード。    Ｃ：接続金具。
Ｄ，Ｅ：ネジ。    Ｆ，Ｇ：振動吸収板。    Ｈ：積層板の振動吸収板。
Ｘ：振動エネルギー吸収量が大きい振動吸収板。
Ｙ：振動エネルギー吸収量が少ない振動吸収板。
【図１】
2004344604.tif 000003
【図２】
2004344604.tif 000004
【図３】
2004344604.tif 000005
【図４】
2004344604.tif 000006
【図５】
2004344604.tif 000007
【図６】
2004344604.tif 000008